(57)【要約】【課題】モバイル環境下で、場所及び時間を問わず、利用者の多様な要求に適合した情報を、確実にかつ円滑に供給する。【解決手段】エリアＥ１（Ｅ２，Ｅ３，…，Ｅｎ）別に、エリア中継器７１（７２，７３，…，７ｎ）が配置され、かつ、サブエリアＳ毎に車載サーバ８が配置されて、利用者の例えば現在位置のエリアＥ１（Ｅ２，Ｅ３，…，Ｅｎ）及びサブエリアＳに関連した情報や、利用者の属性はもとより、エリアＥ１（Ｅ２，Ｅ３，…，Ｅｎ）別に調製されたコンテンツ等の情報が配信される。利用者端末４１（４２，４３，…）は、サブエリアＳ内の最寄のＡＰ中継器１１を介して近距離通信によってコンテンツ等を受信できるので、モバイル環境下で、場所及び時間を問わず、利用者の多様な要求に適合した情報を、確実にかつ円滑に供給することができる。【選択図】図１
2007312045.tif 000002
【特許請求の範囲】
【請求項１】
コンテンツを配信するコンテンツ配信サーバと、車両又は船舶に搭載され、前記コンテンツ配信サーバから前記コンテンツを受信する中継装置と、乗客によって持ち込まれ、第１の近距離無線通信によって前記中継装置から前記コンテンツを受信する携帯通信端末と、該携帯通信端末が受信した前記コンテンツから得られた音声情報を、前記携帯通信端末から第２の近距離無線通信によって受信して、前記音声情報を出力するハンズフリー装置とを備えてなることを特徴とする携帯通信システム。
【請求項２】
前記中継装置を介して前記携帯通信端末へ配信される前記コンテンツには、前記携帯通信端末又は前記ハンズフリー装置の現在位置を含む区域に対応した情報が追加されるか、又は前記コンテンツは、前記区域に対応付けて選択されることを特徴とする請求項１記載の携帯通信システム。
【請求項３】
前記コンテンツ配信サーバと前記携帯通信端末との間の情報伝達経路上には、複数階層に階層化された前記中継装置を含む中継装置群が配置され、該中継装置群を構成する前記中継装置、又は該中継装置に対して上位階層の他の中継装置は、前記コンテンツを記憶する区域別コンテンツ記憶手段を有することを特徴とする請求項２記載の携帯通信システム。
【請求項４】
前記ハンズフリー装置は、少なくとも前記コンテンツを取得するための操作手段を有することを特徴とする請求項１、２又は３記載の携帯通信システム。
【請求項５】
前記ハンズフリー装置の前記操作手段は、前記乗客が前記コンテンツに満足したときに操作するためのインプレションボタンを有することを特徴とする請求項４記載の携帯通信システム。
【請求項６】
前記操作手段は、押下によって前記コンテンツの送信要求操作を行うためのプッシュ部と、回転抓みの回転によって前記コンテンツの選択操作を行うためのダイヤル部とが一体化されてなるコンテンツ取得ボタンを有することを特徴とする請求項４又は５記載の携帯通信システム。
【請求項７】
前記コンテンツについての前記乗客の満足度情報を収集する満足度情報収集手段を備え、該満足度情報収集手段は、前記操作手段の操作情報を、前記携帯通信端末及び前記中継装置を介して受け取ることを特徴とする請求項４、５又は６記載の携帯通信システム。
【請求項８】
前記コンテンツを供給する通信端末を備え、前記通信端末へは、前記満足度情報収集手段から前記満足度情報が送信され、前記コンテンツは、前記満足度情報に基づいて選択又は調製されることを特徴とする請求項７記載の携帯通信システム。
【請求項９】
前記中継装置群は、所定の通信範囲毎に設置され、第１の情報伝達経路を介して前記コンテンツ配信サーバと通信を行う第１の中継装置と、前記車両に配置され、第２の情報伝達経路を介して前記第１の中継装置と通信を行う第２の中継装置と、前記車両内の所定の位置に配置され、第３の情報伝達経路を介して前記携帯通信端末と前記第１の近距離無線通信を行う第３の中継装置とを含むことを特徴とする請求項３乃至８のいずれか１に記載の携帯通信システム。
【請求項１０】
前記コンテンツ配信サーバは、前記携帯通信端末から、前記中継装置群を介して、前記コンテンツの送信要求を受けると、前記乗客の属性情報又は／及び前記満足度情報に基づいて、選択された又は個別に調製された前記コンテンツを供給することを特徴とする請求項７、８又は９記載の携帯通信システム。
【請求項１１】
前記コンテンツ配信サーバは、前記携帯通信端末から、前記中継装置群を介して、前記ハンズフリー装置の稼働状況情報を受け取り、前記ハンズフリー装置が稼働状態のときに、前記携帯通信端末へ前記コンテンツを配信することを特徴とする請求項３乃至９のいずれか１に記載の携帯通信システム。
【請求項１２】
前記コンテンツ配信サーバは、前記中継装置群を介して、前記携帯通信端末へ前記ハンズフリー装置の稼働状況の問合せを行うことによって、前記携帯通信端末から、前記稼働状況情報を受け取ることを特徴とする請求項１１記載の携帯通信システム。
【請求項１３】
前記携帯通信端末と前記ハンズフリー装置とは、ブルートゥースを利用した近距離無線通信によって、所定の情報の送受信を行うことを特徴とする請求項１乃至１２のいずれか１に記載の携帯通信システム。
【請求項１４】
コンテンツを配信するコンテンツ配信サーバであって、請求項１乃至１３のいずれか１に記載の携帯通信システムを構成するコンテンツ配信サーバからなることを特徴とするコンテンツ配信サーバ。
【請求項１５】
コンテンツを配信するコンテンツ配信サーバから、前記コンテンツを受給する携帯通信端末であって、
請求項１乃至１３のいずれか１に記載の携帯通信システムを構成し、前記コンテンツ配信サーバから配信され、中継装置から第１の近距離無線通信によって転送された前記コンテンツを受給し、該コンテンツの一部又は全部を、音声情報を出力するハンズフリー装置に第２の近距離無線通信によって送信することを特徴とする携帯通信端末。
【請求項１６】
請求項１乃至１３のいずれか１に記載の携帯通信システムを構成し、コンテンツを配信するコンテンツ配信サーバから配信され、中継装置を介して携帯通信端末によって受給された前記コンテンツの一部又は全部を取得して、音声情報を出力することを特徴とするハンズフリー装置。
【請求項１７】
コンピュータからなるコンテンツ配信サーバが、コンテンツを情報伝達経路を介して携帯通信端末へ配信する携帯通信方法であって、
前記情報伝達経路上に配置され、車両又は船舶に搭載された中継装置が、前記コンテンツ配信サーバから前記コンテンツを受信して、乗客によって持ち込まれた携帯通信端末へ、第１の近距離無線通信によって転送し、前記携帯通信端末が、前記中継装置を介して受給した前記コンテンツから得られた音声情報を、第２の近距離無線通信によってハンズフリー装置へ送信し、該ハンズフリー装置が、前記音声情報を出力することを特徴とする携帯通信方法。
【請求項１８】
前記中継装置を介して前記携帯通信端末へ配信される前記コンテンツには、前記携帯通信端末又は前記ハンズフリー装置の現在位置を含む区域に対応した情報が追加されるか、又は前記コンテンツは、前記区域に対応付けて選択されることを特徴とする請求項１７記載の携帯通信方法。
【請求項１９】
前記コンテンツ配信サーバと前記携帯通信端末との間の前記情報伝達経路上には、複数階層に階層化された前記中継装置を含む中継装置群が配置され、該中継装置群を構成する前記中継装置、又は該中継装置に対して上位階層の他の中継装置は、前記コンテンツが記憶された区域別コンテンツ記憶手段から前記コンテンツを読み出して、前記携帯通信端末へ送信することを特徴とする請求項１８記載の携帯通信方法。
【請求項２０】
前記ハンズフリー装置は、少なくとも前記コンテンツを取得するための操作手段を有することを特徴とする請求項１７、１８又は１９記載の携帯通信方法。
【請求項２１】
前記ハンズフリー装置の前記操作手段は、前記乗客が前記コンテンツに満足したときに操作するためのインプレションボタンを有することを特徴とする請求項２０記載の携帯通信方法。
【請求項２２】
前記操作手段は、押下によって前記コンテンツの送信要求操作を行うためのプッシュ部と、回転抓みの回転によって前記コンテンツの選択操作を行うためのダイヤル部とが一体化されてなるコンテンツ取得ボタンを有することを特徴とする請求項２０又は２１記載の携帯通信方法。
【請求項２３】
前記コンテンツについての前記乗客の満足度情報を収集する満足度情報収集手段が、前記操作手段の操作情報を、前記携帯通信端末及び前記中継装置を介して受け取ることを特徴とする請求項２０、２１又は２２記載の携帯通信方法。
【請求項２４】
前記コンテンツを供給する通信端末へ、前記満足度情報収集手段から前記満足度情報が送信され、前記コンテンツは、前記満足度情報に基づいて選択又は調製されることを特徴とする請求項２３記載の携帯通信方法。
【請求項２５】
前記中継装置群は、所定の通信範囲毎に設置され、第１の情報伝達経路を介して前記コンテンツ配信サーバと通信を行う第１の中継装置と、前記車両に配置され、第２の情報伝達経路を介して前記第１の中継装置と通信を行う第２の中継装置と、前記車両内の所定の位置に配置され、第３の情報伝達経路を介して前記携帯通信端末と前記第１の近距離無線通信を行う第３の中継装置とを含むことを特徴とする請求項１９乃至２４のいずれか１に記載の携帯通信方法。
【請求項２６】
前記コンテンツ配信サーバは、前記携帯通信端末から、前記中継装置群を介して、前記コンテンツの送信要求を受けると、前記乗客の属性情報又は／及び前記満足度情報に基づいて、選択された又は個別に調製された前記コンテンツを供給することを特徴とする請求項２３、２４又は２５記載の携帯通信方法。
【請求項２７】
前記コンテンツ配信サーバは、前記携帯通信端末から、前記中継装置群を介して、前記ハンズフリー装置の稼働状況情報を受け取り、前記ハンズフリー装置が稼働状態のときに、前記携帯通信端末へ前記コンテンツを供給することを特徴とする請求項１９乃至２５のいずれか１に記載の携帯通信方法。
【請求項２８】
前記コンテンツ配信サーバは、前記携帯通信端末へ、前記中継装置群を介して、前記ハンズフリー装置の稼働状況の問合せを行うことによって、前記携帯通信端末から、前記稼働状況情報を受け取ることを特徴とする請求項２７記載の携帯通信方法。
【請求項２９】
前記携帯通信端末と前記ハンズフリー装置とは、ブルートゥースを利用した前記第２の近距離無線通信によって、所定の情報の送受信を行うことを特徴とする請求項１７乃至２８のいずれか１に記載の携帯通信方法。
【請求項３０】
コンピュータに請求項１７乃至２９のうちいずれか１に記載の携帯通信方法を実行させることを特徴とする制御プログラム。
【発明の詳細な説明】
【技術分野】
【０００１】
この発明は、携帯通信システム及び方法、コンテンツ配信サーバ、携帯通信端末、ハンズフリー装置、及び制御プログラムに係り、コンテンツ配信サーバから移動可能な携帯通信端末へ、中継装置を介してコンテンツ等が配信され、利用者が移動中や待ち時間にコンテンツの視聴が可能な携帯通信システム及び方法、コンテンツ配信サーバ、コンテンツを受給する携帯電話機等の携帯通信端末、該携帯通信端末と近距離無線により接続されるハンズフリー装置、及び制御プログラムに関する。
【背景技術】
【０００２】
従来より、モバイル環境下で情報を受け取る方法として、携帯ラジオによってラジオ放送を受信する方法等が知られているが、近年、携帯電話機等を用いて、本来の音声通話のみならず、インターネットに接続して、電子メールの送受信（文字情報の交換）を行ったり、Ｗｅｂページを閲覧したり、専用のサイトからプログラムをダウンロードする等の通信機能を活用することが広く行われてきている。また、ホットスポット環境下での無線ＬＡＮの活用も拡大してきている。
【０００３】
しかしながら、モバイル環境下で携帯電話機等を用いて、コンテンツを利用する場合に、各携帯電話機等によって受給する情報の利用者毎の最適化と、機器の使い勝手とが特に問題となっている。
すなわち、モバイル環境下での利用者の多様なニーズや趣味、嗜好に応じた利用者が求める的確な情報、又は利用者に供給されるべき最適な情報を供給することは困難である。
【０００４】
例えば、利用者の属性としての性別、年齢、生活スタイル、趣味、嗜好、職業等は、まさに多様であり、容易に把握できない。したがって、利用者の求めに完全に適合したコンテンツの提供は困難である。
このため、利用者が利用するコンテンツについて、利用者の満足度を計測する技術（例えば、特許文献１等参照。）を用いて、利用者が求めるコンテンツを提供する方法が提案されている。
【０００５】
また、携帯電話機によって、コンテンツを受信して利用する場合に、表示画面や、操作面のキー等を頻繁に目視する必要があり、また、携帯電話機を保持したり、機能選択の操作を行うために、片手又は両手を使う必要があり、携帯電話機の操作に集中せざるを得ず、歩きながらや、立ったままの状態での中長時間の使用、まして、常時使用は事実上困難である。
【０００６】
この使い勝手の悪さは、最近注目され、ニーズが高まってきているモバイル環境下での移動中や待ち時間等における「ながら利用」や「はぎれ時間」の活用のための妨げとなっている。
このため、例えば、ヘッドセットを頭部に装着し、ヘッドセットと携帯電話機とを無線接続して用いる方法が提案されている（例えば、特許文献２、特許文献３等参照。）。
【特許文献１】特開２０００−３０８０９４号公報
【特許文献２】特開２００２−０１０３５８号公報
【特許文献３】特開２００５−３２３２６５号公報
【発明の開示】
【発明が解決しようとする課題】
【０００７】
解決しようとする第１の問題点は、場所及び時間を問わず、利用者の要求に適合した情報を、確実にかつ円滑に供給することができないという点である。
すなわち、モバイル環境下では、利用者は、常に移動している状態で、必要な情報を受け取ることとなるために、同一の利用者であっても、例えば、そのとき、その場所で、利用者が求める情報、又は利用者に供給されるべき最適な情報は、必ずしも同じではない。
したがって、特許文献１等の従来技術では、コンテンツについての利用者の満足度を測定して、利用者の趣味や嗜好の傾向を把握し、利用者に供給するコンテンツに反映させたとしても、常に最適な情報を供給できるとは限らない。
【０００８】
例えば、利用者の属性以外にも、配信される情報の利用場所として、地域（エリア）や建物、利用交通機関等別に考慮されなければならない。
このことは、情報提供者にとっても、より効果的な宣伝、集客、ニーズの掘り起こし、木目細かなサービス（例えば、福祉介助サービス等を含む）の提供ができないために問題となる。
【０００９】
また、第２の問題点は、ヘッドセットを用いても、使い勝手の悪さが解消されていない点である。
すなわち、特許文献２等の従来技術では、ヘッドセットに操作部が設けられていないために、無線接続された携帯電話機の操作キーを用いなければならず、また、特許文献３等の従来技術では、操作ボタンの目視が不可欠であり、依然として、使い勝手が悪い。
【００１０】
この発明は、上述の事情に鑑みてなされたもので、場所及び時間を問わず、利用者の要求に適合した情報を、確実にかつ円滑に供給することができる携帯通信システム及び方法、コンテンツ配信サーバ、携帯通信端末、ハンズフリー装置、及び制御プログラムを提供することを第１の目的としている。
また、移動中や待ち時間等に、簡単にかつ円滑に利用することができる携帯通信システム及び方法、コンテンツ配信サーバ、携帯通信端末、ハンズフリー装置、及び制御プログラムを提供することを第２の目的としている。
【課題を解決するための手段】
【００１１】
上記課題を解決するために、請求項１記載の発明に係る携帯通信システムは、コンテンツを配信するコンテンツ配信サーバと、車両又は船舶に搭載され、上記コンテンツ配信サーバから上記コンテンツを受信する中継装置と、乗客によって持ち込まれ、第１の近距離無線通信によって上記中継装置から上記コンテンツを受信する携帯通信端末と、該携帯通信端末が受信した上記コンテンツから得られた音声情報を、上記携帯通信端末から第２の近距離無線通信によって受信して、上記音声情報を出力するハンズフリー装置とを備えてなることを特徴としている。
【００１２】
また、請求項２記載の発明は、請求項１記載の携帯通信システムに係り、上記中継装置を介して上記携帯通信端末へ配信される上記コンテンツには、上記携帯通信端末又は上記ハンズフリー装置の現在位置を含む区域に対応した情報が追加されるか、又は上記コンテンツは、上記区域に対応付けて選択されることを特徴としている。
【００１３】
また、請求項３記載の発明は、請求項２記載の携帯通信システムに係り、上記コンテンツ配信サーバと上記携帯通信端末との間の情報伝達経路上には、複数階層に階層化された上記中継装置を含む中継装置群が配置され、該中継装置群を構成する上記中継装置、又は該中継装置に対して上位階層の他の中継装置は、上記コンテンツを記憶する区域別コンテンツ記憶手段を有することを特徴としている。
【００１４】
また、請求項４記載の発明は、請求項１、２又は３記載の携帯通信システムに係り、上記ハンズフリー装置は、少なくとも上記コンテンツを取得するための操作手段を有することを特徴としている。
【００１５】
また、請求項５記載の発明は、請求項４記載の携帯通信システムに係り、上記ハンズフリー装置の上記操作手段は、上記乗客が上記コンテンツに満足したときに操作するためのインプレションボタンを有することを特徴としている。
【００１６】
また、請求項６記載の発明は、請求項４又は５記載の携帯通信システムに係り、上記操作手段は、押下によって上記コンテンツの送信要求操作を行うためのプッシュ部と、回転抓みの回転によって上記コンテンツの選択操作を行うためのダイヤル部とが一体化されてなるコンテンツ取得ボタンを有することを特徴としている。
【００１７】
また、請求項７記載の発明は、請求項４、５又は６記載の携帯通信システムに係り、上記コンテンツについての上記乗客の満足度情報を収集する満足度情報収集手段を備え、該満足度情報収集手段は、上記操作手段の操作情報を、上記携帯通信端末及び上記中継装置を介して受け取ることを特徴としている。
【００１８】
また、請求項８記載の発明は、請求項１乃至７のいずれか１に記載の携帯通信システムに係り、上記コンテンツを供給する通信端末を備え、上記通信端末へは、上記満足度情報収集手段から上記満足度情報が送信され、上記コンテンツは、上記満足度情報に基づいて選択又は調製されることを特徴としている。
【００１９】
また、請求項９記載の発明は、請求項３乃至８のいずれか１に記載の携帯通信システムに係り、上記中継装置群は、所定の通信範囲毎に設置され、第１の情報伝達経路を介して上記コンテンツ配信サーバと通信を行う第１の中継装置と、上記車両に配置され、第２の情報伝達経路を介して上記第１の中継装置と通信を行う第２の中継装置と、上記車両内の所定の位置に配置され、第３の情報伝達経路を介して上記携帯通信端末と上記第１の近距離無線通信を行う第３の中継装置とを含むことを特徴としている。
【００２０】
また、請求項１０記載の発明は、請求項７、８又は９記載の携帯通信システムに係り、上記コンテンツ配信サーバは、上記携帯通信端末から、上記中継装置群を介して、上記コンテンツの送信要求を受けると、上記乗客の属性情報又は／及び上記満足度情報に基づいて、選択された又は個別に調製された上記コンテンツを供給することを特徴としている。
【００２１】
また、請求項１１記載の発明は、請求項３乃至９のいずれか１に記載の携帯通信システムに係り、上記コンテンツ配信サーバは、上記携帯通信端末から、上記中継装置群を介して、上記ハンズフリー装置の稼働状況情報を受け取り、上記ハンズフリー装置が稼働状態のときに、上記携帯通信端末へ上記コンテンツを供給することを特徴としている。
【００２２】
また、請求項１２記載の発明は、請求項１１記載の携帯通信システムに係り、上記コンテンツ配信サーバは、上記中継装置群を介して、上記携帯通信端末へ上記ハンズフリー装置の稼働状況の問合せを行うことによって、上記携帯通信端末から、上記稼働状況情報を受け取ることを特徴としている。
【００２３】
また、請求項１３記載の発明は、請求項１乃至１２のいずれか１に記載の携帯通信システムに係り、上記携帯通信端末と上記ハンズフリー装置とは、ブルートゥースを利用した近距離無線通信によって、所定の情報の送受信を行うことを特徴としている。
【００２４】
また、請求項１４記載の発明は、コンテンツを配信するコンテンツ配信サーバに係り、請求項１乃至１３のいずれか１に記載の携帯通信システムを構成するコンテンツ配信サーバからなることを特徴としている。
【００２５】
また、請求項１５記載の発明は、コンテンツを配信するコンテンツ配信サーバから、上記コンテンツを受給する携帯通信端末に係り、請求項１乃至１３のいずれか１に記載の携帯通信システムを構成し、上記コンテンツ配信サーバから配信され、中継装置から第１の近距離無線通信によって転送された上記コンテンツを受給し、該コンテンツの一部又は全部を、音声情報を出力するハンズフリー装置に第２の近距離無線通信によって送信することを特徴としている。
【００２６】
また、請求項１６記載の発明に係るハンズフリー装置は、請求項１乃至１３のいずれか１に記載の携帯通信システムを構成し、コンテンツを配信するコンテンツ配信サーバから配信され、中継装置を介して携帯通信端末によって受給された上記コンテンツの一部又は全部を取得して、音声情報を出力することを特徴としている。
【００２７】
また、請求項１７記載の発明は、コンピュータからなるコンテンツ配信サーバが、コンテンツを情報伝達経路を介して携帯通信端末へ配信する携帯通信方法に係り、上記情報伝達経路上に配置され、車両又は船舶に搭載された中継装置が、上記コンテンツ配信サーバから上記コンテンツを受信して、乗客によって持ち込まれた携帯通信端末へ、第１の近距離無線通信によって転送し、上記携帯通信端末が、上記中継装置を介して受給した上記コンテンツから得られた音声情報を、第２の近距離無線通信によってハンズフリー装置へ送信し、該ハンズフリー装置が、上記音声情報を出力することを特徴としている。
【００２８】
また、請求項１８記載の発明は、請求項１７記載の携帯通信方法に係り、上記中継装置を介して上記携帯通信端末へ配信される上記コンテンツには、上記携帯通信端末又は上記ハンズフリー装置の現在位置を含む区域に対応した情報が追加されるか、又は上記コンテンツは、上記区域に対応付けて選択されることを特徴としている。
【００２９】
また、請求項１９記載の発明は、請求項１８記載の携帯通信方法に係り、上記コンテンツ配信サーバと上記携帯通信端末との間の情報伝達経路上には、複数階層に階層化された上記中継装置を含む中継装置群が配置され、該中継装置群を構成する上記中継装置、又は該中継装置に対して上位階層の他の中継装置は、上記コンテンツが記憶された区域別コンテンツ記憶手段から上記コンテンツを読み出して、上記携帯通信端末へ送信することを特徴としている。
【００３０】
また、請求項２０記載の発明は、請求項１７、１８又は１９記載の携帯通信方法に係り、上記ハンズフリー装置は、少なくとも上記コンテンツを取得するための操作手段を有することを特徴としている。
【００３１】
また、請求項２１記載の発明は、請求項２０記載の携帯通信方法に係り、上記ハンズフリー装置の上記操作手段は、上記乗客が上記コンテンツに満足したときに操作するためのインプレションボタンを有することを特徴としている。
【００３２】
また、請求項２２記載の発明は、請求項２０又は２１記載の携帯通信方法に係り、上記操作手段は、押下によって上記コンテンツの送信要求操作を行うためのプッシュ部と、回転抓みの回転によって上記コンテンツの選択操作を行うためのダイヤル部とが一体化されてなるコンテンツ取得ボタンを有することを特徴としている。
【００３３】
また、請求項２３記載の発明は、請求項２０、２１又は２２記載の携帯通信方法に係り、上記コンテンツについての上記乗客の満足度情報を収集する満足度情報収集手段が、上記操作手段の操作情報を、上記携帯通信端末及び上記中継装置を介して受け取ることを特徴としている。
【００３４】
また、請求項２４記載の発明は、請求項２３記載の携帯通信方法に係り、上記コンテンツを供給する通信端末へ、上記満足度情報収集手段から上記満足度情報が送信され、上記コンテンツは、上記満足度情報に基づいて選択又は調製されることを特徴としている。
【００３５】
また、請求項２５記載の発明は、請求項１９乃至２４のいずれか１に記載の携帯通信方法請求項２７記載の携帯通信方法に係り、上記中継装置群は、所定の通信範囲毎に設置され、第１の情報伝達経路を介して上記コンテンツ配信サーバと通信を行う第１の中継装置と、上記車両に配置され、第２の情報伝達経路を介して上記第１の中継装置と通信を行う第２の中継装置と、上記車両内の所定の位置に配置され、第３の情報伝達経路を介して上記携帯通信端末と上記第１の近距離無線通信を行う第３の中継装置とを含むことを特徴としている。
【００３６】
また、請求項２６記載の発明は、請求項２３、２４又は２５記載の携帯通信方法に係り、上記コンテンツ配信サーバは、上記携帯通信端末から、上記中継装置群を介して、上記コンテンツの送信要求を受けると、上記乗客の属性情報又は／及び上記満足度情報に基づいて、選択された又は個別に調製された上記コンテンツを供給することを特徴としている。
【００３７】
また、請求項２７記載の発明は、請求項１９乃至２５のいずれか１に記載の携帯通信方法に係り、上記コンテンツ配信サーバは、上記携帯通信端末から、上記中継装置群を介して、上記ハンズフリー装置の稼働状況情報を受け取り、上記ハンズフリー装置が稼働状態のときに、上記携帯通信端末へ上記コンテンツを供給することを特徴としている。
【００３８】
また、請求項２８記載の発明は、請求項２７記載の携帯通信方法に係り、上記コンテンツ配信サーバは、上記携帯通信端末へ、上記中継装置群を介して、上記ハンズフリー装置の稼働状況の問合せを行うことによって、上記携帯通信端末から、上記稼働状況情報を受け取ることを特徴としている。
【００３９】
また、請求項２９記載の発明は、請求項１７乃至２８のいずれか１に記載の携帯通信方法に係り、上記携帯通信端末と上記ハンズフリー装置とは、ブルートゥースを利用した上記第２の近距離無線通信によって、所定の情報の送受信を行うことを特徴としている。
【００４０】
また、請求項３０記載の発明に係る制御プログラムは、コンピュータに請求項１７乃至２９のうちいずれか１に記載の携帯通信方法を実行させることを特徴としている。
【発明の効果】
【００４１】
この発明の構成によれば、車両又は船舶に搭載された中継装置が、コンテンツ配信サーバからコンテンツを受信して、乗客によって持ち込まれた携帯通信端末へ、第１の近距離無線通信によって転送し、携帯通信端末が、中継装置を介して受給したコンテンツから得られた音声情報を、第２の近距離無線通信によってハンズフリー装置へ送信し、ハンズフリー装置が、音声情報を出力するので、場所及び時間を問わず、受給者の要求に適合した情報を、確実にかつ円滑に供給することができる。
また、乗客は、ハンズフリー装置を装着して、受信した少なくとも音声情報を得ることができるので、移動中や待ち時間等に、コンテンツを、簡単にかつ円滑に利用することができる。
【発明を実施するための最良の形態】
【００４２】
車両又は船舶に搭載された中継装置が、コンテンツ配信サーバからコンテンツを受信して、乗客によって持ち込まれた携帯通信端末へ、第１の近距離無線通信によって転送し、携帯通信端末が、中継装置を介して受給したコンテンツから得られた音声情報を、第２の近距離無線通信によってハンズフリー装置へ送信し、ハンズフリー装置が、音声情報を出力することによって、場所及び時間を問わず、利用者の要求に適合した情報を、確実にかつ円滑に供給するという第１の目的を実現した。
また、乗客は、ハンズフリー装置を装着して、受信した少なくとも音声情報を得ることができ、移動中や待ち時間等に、簡単にかつ円滑に利用するという第２の目的を実現した。
【実施例１】
【００４３】
図１は、この発明の第１の実施例である携帯通信システムの構成を説明するための説明図、図２は、同携帯通信システムの情報管理センタの構成を示すブロック図、図３は、同情報管理センタの管理サーバの構成を示すブロック図、図４は、同管理サーバの制御部及び記憶部の構成を説明するためのブロック図、図５は、同携帯通信システムの発信者端末の構成を示すブロック図、図６は、同携帯通信システムのエリア中継器の構成を示すブロック図、図７は、同携帯通信システムの車載サーバの制御部及び記憶部の構成を説明するためのブロック図、図８は、同携帯通信システムの利用者端末の構成を示すブロック図、図９は、同利用者端末の制御部の構成を説明するためのブロック図、図１０は、同携帯通信システムのハンズフリー装置の構成を示すブロック図、図１１は、同ハンズフリー装置の構成を説明するためのブロック図、また、図１２乃至図１７は、同携帯通信システムの動作を説明するための処理手順図である。
【００４４】
この例の携帯通信システム１は、図１に示すように、コンテンツ配信サービス提供事業者が管理する情報管理センタ２と、コンテンツを作成し提供する情報発信者Ｂ１，Ｂ２，…，Ｂｍ（ｍ：自然数）が用いる発信者端末３１，３２，…，３ｍと、受給者としての利用者（乗客）Ｃ１，Ｃ２，…が用いる移動可能な利用者端末４１，４２，…と、利用者Ｃ１，Ｃ２，…の頭部に装着されて用いられるハンズフリー装置５１，５２，…と、情報管理センタ２と利用者端末４１，４２，…との間に介在し複数階層（この例では、４階層）に階層化された中継機器群６とを有している。
ここで、中継機器群６は、エリアＥ１，Ｅ２，…，Ｅｎ（ｎ：自然数）毎に配置された最上位のエリア中継器７１，７２，…，７ｎと、各エリアＥ１（Ｅ２，Ｅ３，…，Ｅｎ）内のサブエリアＳ毎に配置され、例えば各電車Ｆに搭載された車載サーバ８と、電車Ｆの各車両Ｇに搭載された車載中継器９と、各車両Ｇ内の所定の箇所に設置された最下位のＡＰ（Access Point）中継器１１とから概略構成されている。
【００４５】
また、情報管理センタ２と各発信者端末３１（３２，３３，…，３ｍ）、情報管理センタ２と各エリア中継器７１（７２，７３，…，７ｎ）とは、通信ネットワーク１３を介して、接続されている。
また、各エリア中継器７１（７２，７３，…，７ｎ）と車載サーバ８、車載サーバ８と車載中継器９、車載中継器９とＡＰ中継器１１、ＡＰ中継器１１と利用者端末４１（４２，４３，…）、利用者端末４１（４２，４３，…）とハンズフリー装置５１（５２，５３，…）とは、それぞれ、無線通信経路１４，１５，１６，１７，１８を介して、通信が行われる。特に、ＡＰ中継器１１と利用者端末４１（４２，４３，…）、利用者端末４１（４２，４３，…）とハンズフリー装置５１（５２，５３，…）は、例えば、ブルートゥース（Bluetooth：登録商標）を利用した近距離通信（それぞれ、第１の近距離無線通信、第２の近距離無線通信）によって、相互に接続される。
【００４６】
情報管理センタ２は、図２に示すように、例えば、コンテンツや利用者Ｃ１，Ｃ２，…に関する情報を管理する管理サーバ２１と、例えば利用者端末４１（４２，４３，…）を保有する利用者Ｃ１（Ｃ２，Ｃ３，…）が負担すべきサービス利用料金に関する課金処理を行う課金サーバ２２とを有している。
管理サーバ２１は、図３に示すように、ＣＰＵ（Central Processing Unit）等からなり、記憶部２５に記憶された所定の制御プログラムに従って構成各部を制御する制御部２４と、ＲＯＭ、ＲＡＭや、ＦＤ（フレキシブル・ディスク）、ＨＤ（ハード・ディスク）、ＣＤ−ＲＯＭが装着されるＦＤＤ、ＨＤＤ、ＣＤ−ＲＯＭドライバ等からなり、各種プログラムやデータが記憶される記憶部２５と、所定のプロトコルに従ってデータ通信を行うための通信部２６とを有している。
【００４７】
管理サーバ２１の制御部２４は、記憶部２５に記憶された制御プログラムに従って、例えば、コンテンツ登録制御処理や、視聴レポート配信制御処理、視聴レポート作成処理、コンテンツ送信制御処理、配信コンテンツ組合せ情報作成処理、対発信者端末通信制御処理、対車載サーバ通信制御処理等を実行する。
すなわち、制御部２４は、記憶部２５に記憶された制御プログラムを実行することによって、コンテンツ登録制御処理部２４ａや、視聴レポート配信制御処理部２４ｂ、視聴レポート作成処理部２４ｃ、コンテンツ送信制御処理部２４ｄ、配信コンテンツ組合せ情報作成処理部２４ｅ、対発信者端末通信制御処理部２４ｆ、対車載サーバ通信制御処理部２４ｇ等として機能する。
【００４８】
コンテンツ登録制御処理部２４ａは、情報発信者Ｂ１（Ｂ２，Ｂ３，…，Ｂｍ）が、発信者端末３１（３２，３３，…，３ｍ）を用いて、登録の要求を行ったコンテンツを情報記憶部（データベース）２７に登録する。
視聴レポート配信制御処理部２４ｂは、情報発信者Ｂ１（Ｂ２，Ｂ３，…，Ｂｍ）が、発信者端末３１（３２，３３，…，３ｍ）を用いて、参照要求を行った視聴レポートを、発信者端末３１（３２，３３，…，３ｍ）へ配信する処理を制御する。
【００４９】
視聴レポート作成処理部２４ｃは、利用者属性情報や、利用情報種別／視聴時間情報、利用位置情報、満足度情報に基づいて、各情報発信者Ｂ１（Ｂ２，Ｂ３，…，Ｂｍ）向けに定期的に集計・分析処理を行って、視聴レポートを作成する。
コンテンツ送信制御処理部２４ｄは、利用者端末４１（４２，４３，…）（ハンズフリー装置５１（５２，５３，…））に対してコンテンツの配信を行う車載サーバ８からの更新要求に対し、情報記憶部２７内のコンテンツやコンテンツ組合せ情報を送信する。
【００５０】
配信コンテンツ組合せ情報作成処理部２４ｅは、利用者属性情報、利用情報種別／視聴時間情報、利用位置情報、及び満足度情報と、類似属性を持つ利用者の最新のコンテンツ満足度情報等とに基づいて、利用者に対するお勧めコンテンツを取捨選択して、利用者の以降の利用の際に配信すべきコンテンツの組合せや優先度を決定し、コンテンツ組合せ情報（例えば、利用者に応じて優先度の高い順に並べ替えられたコンテンツのリスト）を作成する。
対発信者端末通信制御処理部２４ｆは、情報発信者Ｂ１（Ｂ２，Ｂ３，…，Ｂｍ）が用いる発信者端末３１（３２，３３，…，３ｍ）との間で行う通信を制御する。
対車載サーバ通信制御処理部２４ｇは、利用者端末４１（４２，４３，…）（ハンズフリー装置５１（５２，５３，…））に対してコンテンツの配信を行う車載サーバ８との間で行う通信を制御する。
【００５１】
記憶部２５は、図４に示すように、制御プログラム等が記憶されたプログラム記憶部と、各種情報がデータベース化されて記憶された情報記憶部２７とを有してなっている。
プログラム記憶部は、例えば、コンテンツ登録制御処理プログラムが記憶された記憶領域と、視聴レポート配信制御処理プログラムが記憶された記憶領域と、視聴レポート作成処理プログラムが記憶された記憶領域と、コンテンツ送信制御処理プログラムが記憶された記憶領域と、配信コンテンツ組合せ情報作成処理プログラムが記憶された記憶領域と、対発信者端末通信制御処理プログラムが記憶された記憶領域と、対車載サーバ通信制御処理プログラムが記憶された記憶領域とを有している。
【００５２】
情報記憶部２７は、図４に示すように、利用者Ｃ１，Ｃ２，…への配信を目的として情報発信者Ｂ１，Ｂ２，…，Ｂｍが登録したコンテンツが記憶されるコンテンツ記憶領域２７ａと、利用者Ｃ１，Ｃ２，…が当該システムの利用を開始する際に登録した性別、年齢層、生活圏、よく利用する交通機関、趣味、嗜好等の利用者属性情報が記憶される利用者属性情報記憶領域２７ｂと、車載サーバ８から定期的に転送される利用情報に関して利用情報種別／視聴時間情報が記憶される利用情報種別／視聴時間情報記憶領域２７ｃと、利用位置情報が記憶される利用位置情報記憶領域２７ｄと、利用者の視聴したコンテンツに関する満足度情報が記憶される満足度情報記憶領域２７ｅと、利用者属性情報や、利用情報種別／視聴時間情報、利用位置情報、満足度情報に基づいて、各情報発信者Ｂ１（Ｂ２，Ｂ３，…，Ｂｍ）向けに定期的に集計、分析して作成された視聴レポートが記憶される視聴レポート記憶領域２７ｆと、利用者属性情報、利用情報種別／視聴時間情報、利用位置情報、及び満足度情報と、類似属性を持つ利用者の最新のコンテンツ満足度情報等とに基づいて、利用者に対するお勧めコンテンツを取捨選択して、利用者の以降の利用の際に配信すべきコンテンツの組合せや優先度を含むコンテンツ組合せ情報が記憶されるコンテンツ組合せ情報記憶領域２７ｇとを有している。
なお、図４において、利用情報種別／視聴時間情報記憶領域２７ｃに記憶される利用情報種別／視聴時間情報と、利用位置情報記憶領域２７ｄに記憶される利用位置情報と、満足度情報記憶領域２７ｅに記憶される満足度情報とは、車載サーバ８の情報記憶部４７に記憶される対応する各情報と同一内容のコピーされた情報である（同図中網掛けで示す。）。
【００５３】
課金サーバ２２は、ハードウェア上の構成は、管理サーバ２１と略同一であり、制御部と、記憶部と、通信部とを有している。
課金サーバ２２の制御部は、サービスに対応した料金の単金と、適用期間等の設定と利用者のサービス利用による固定又は従量の課金計算をリアルタイムで実施する課金・料金管理処理や、課金管理サービス申請の受付けを行うと共に利用者の情報を管理するユーザ・オーダ管理処理等を実行する。
課金サーバ２２の制御部は、課金・料金管理処理では、例えば、利用者が管理サーバ２１が提供する情報や機能を利用する毎に利用料金を算出し、指定された単位で（例えば、一ヶ月毎、すなわち、月締めでの月次処理）に利用者に請求するための処理を行い、利用者に請求するための利用明細書情報を生成する。
【００５４】
また、課金・料金管理処理では、例えば月額固定の基本料金、サービス毎、情報毎の利用料金、利用者毎、利用者端末毎のサービス利用回数等を課金情報として管理する。
また、課金・料金管理処理では、コンテンツを提供する情報発信者に関する課金管理を行う。すなわち、課金・料金管理処理では、例えば、情報発信者が、コンテンツの提供等のサービスを行う場合、サービスの利用者想定数、同時アクセス想定数に基づいて、設定される基本料金、提供サービス情報の更新に関して、更新回数に応じた課金料金等を管理する。
【００５５】
発信者端末３１（３２，３３，…，３ｍ）は、図５に示すように、当該発信者端末本体の構成各部を制御する制御部３１と、制御部３１が実行する処理プログラムや各種データ等を記憶するための記憶部３２と、所定のプロトコルに従ってデータ通信を行う通信部３３と、表示部３４と、音声出力部３５と、操作部３６とから概略構成されている。
エリア中継器７１（７２，７３，…，７ｎ）は、図６に示すように、所定の制御プログラムに従って構成各部を制御する制御部３８と、各種プログラムやデータが記憶される記憶部３９と、所定のプロトコルに従ってデータ通信を行うための通信部４１と、アンテナを介して無線電波の送受信を行い、データ通信を行うために用いられる無線通信部４２とを有してなっている。
この例では、エリア中継器７１（７２，７３，…，７ｎ）の制御部３８は、通信ネットワーク１３を介して、例えば、各エリアＥ１（Ｅ２，Ｅ３，…，Ｅｎ）内の情報提供者（公共団体や、駅構内の商業施設等）が管理する情報提供者端末（不図示）から供給された後述する地域限定の情報等を、車載サーバ８へ転送する。
【００５６】
車載サーバ８は、図７に示すように、所定の制御プログラムに従って構成各部を制御する制御部４４と、各種プログラムやデータが記憶される記憶部と、アンテナを介して無線電波の送受信を行い、データ通信を行うために用いられる無線通信部とを有してなっている。
車載サーバ８の制御部４４は、記憶部に記憶された制御プログラムに従って、例えば、コンテンツ受信制御処理や、利用情報送信制御処理、オンデマンド制御処理、プッシュ制御処理、コンテンツ送信制御処理、利用情報記録制御処理、インプレッションボタン情報受信制御処理、対管理サーバ通信制御処理、対利用者端末通信制御処理等を実行する。
【００５７】
すなわち、制御部４４は、記憶部に記憶された制御プログラムを実行することによって、コンテンツ受信制御処理部４４ａや、利用情報送信制御処理部４４ｂ、オンデマンド制御処理部４４ｃ、プッシュ制御処理部４４ｄ、コンテンツ送信制御処理部４４ｅ、利用情報記録制御処理部４４ｆ、インプレッションボタン情報受信制御処理部４４ｇ、対管理サーバ通信制御処理部４４ｈ、対利用者端末通信制御処理部４４ｊ等として機能する。
コンテンツ受信制御処理部４４ａは、コンテンツ更新要求によって管理サーバ２１から取得したコンテンツを、情報記憶部（データベース）４７に記憶させる。
【００５８】
利用情報送信制御処理部４４ｂは、利用者端末４１（４２，４３，…）（ハンズフリー装置５１（５２，５３，…））から収集した利用者Ｃ１（Ｃ２，Ｃ３，…）毎の利用者情報を、管理サーバ２１へ定期的に送信する。
オンデマンド制御処理部４４ｃは、利用者端末４１（４２，４３，…）（ハンズフリー装置５１（５２，５３，…））からのコンテンツ配信要求に対して、コンテンツ送信制御処理部４４ｅを制御して、コンテンツやコンテンツ組合せ情報を利用者端末４１（４２，４３，…）へ送信する。
【００５９】
プッシュ制御処理部４４ｄは、接続可能な利用者Ｃ１（Ｃ２，Ｃ３，…）の利用者端末４１（４２，４３，…）（ハンズフリー装置５１（５２，５３，…））を定期的に探索し、コンテンツ送信制御処理部４４ｅを制御して、コンテンツを利用者端末４１（４２，４３，…）へ自主的に送信する。
コンテンツ送信制御処理部４４ｅは、オンデマンド制御処理部４４ｃやプッシュ制御処理部４４ｄからの制御によって、情報記憶部４７内のコンテンツやコンテンツ組合せ情報を読み出して利用者端末４１（４２，４３，…）へ送信する処理を制御する。
この例では、コンテンツ送信制御処理部４４ｅは、管理サーバ２１から配信されたコンテンツに、必要に応じて、例えば、後述する地域限定の情報を付加して送信する処理を制御する。
利用情報記録制御処理部４４ｆは、コンテンツ送信制御処理部４４ｅの送信内容をモニタし、情報記憶部４７へ、利用情報種別／視聴時間情報や、利用位置情報等を記憶する処理を制御する。
【００６０】
インプレッションボタン情報受信制御処理部４４ｇは、利用者Ｃ１（Ｃ２，Ｃ３，…）が現在視聴しているコンテンツに対して、価値や満足を感じた場合に押下するハンズフリー装置５１（５２，５３，…）のインプレッションボタン６５ｃの押下回数等の情報を、対応するコンテンツ及び利用情報と共に情報記憶部４７へ満足度情報として記憶する処理を行う。
対管理サーバ通信制御処理部４４ｈは、コンテンツの送信元としての管理サーバ２１との間で行う通信を制御する。
対利用者端末通信制御処理部４４ｊは、利用者端末４１（４２，４３，…）（ハンズフリー装置５１（５２，５３，…））との間で行う通信を制御する。
【００６１】
車載サーバ８の記憶部は、図７に示すように、制御プログラム等が記憶されたプログラム記憶部と、各種情報がデータベース化されて記憶された情報記憶部４７とを有してなっている。
プログラム記憶部は、例えば、コンテンツ受信制御処理プログラムが記憶された記憶領域と、利用情報送信制御処理プログラムが記憶された記憶領域と、オンデマンド制御処理プログラムが記憶された記憶領域と、プッシュ制御処理プログラムが記憶された記憶領域と、コンテンツ送信制御処理プログラムが記憶された記憶領域と、利用情報記録制御処理プログラムが記憶された記憶領域と、インプレッションボタン情報受信制御処理プログラムが記憶された記憶領域と、対管理サーバ通信制御処理プログラムが記憶された記憶領域と、対利用者端末通信制御処理プログラムが記憶された記憶領域とを有している。
【００６２】
情報記憶部４７は、図７に示すように、管理サーバ２１から取得したコンテンツが記憶されるコンテンツ記憶領域４７ａと、利用者属性情報が記憶される利用者属性情報記憶領域４７ｂと、利用者Ｃ１（Ｃ２，Ｃ３，…）毎の現在までに利用した情報（コンテンツ）の種別と、各情報の視聴時間等を含む利用情報種別／視聴時間情報が記憶される利用情報種別／視聴時間情報記憶領域４７ｃと、利用した情報（コンテンツ）を利用（使用）した場所（エリア）に関する利用位置情報が記憶される利用位置情報記憶領域４７ｄと、利用者によるインプレションボタン６５ｃの押下に基づいたコンテンツ毎の利用者の満足度情報が記憶される満足度情報記憶領域４７ｅと、コンテンツ組合せ情報が記憶されるコンテンツ組合せ情報記憶領域４７ｆとを有している。
【００６３】
この例では、利用者属性情報記憶領域４７ｂには、利用者の属性（性別、年齢、生活スタイル、趣味、嗜好、職業等）のほかに、配信される情報の利用場所として、地域（エリア）や建物、利用交通機関等別に考慮された情報が記憶される。
例えば、地域によって、利用者に知らせるのに最適なイベント情報（個人主催、商店街主催、町内会主催、市主催、口コミ等）や、店舗の特売、キャンペーン情報等の地域限定のサービス情報を選定したり、利用交通機関の種別や行先別に、運行情報や、乗り換え情報、乗降駅構内のイベント情報等が記憶される。こうした地域限定の情報は、例えば、各エリア中継器７１（７２，７３，…，７ｎ）を介して、車載サーバ８に供給される。
【００６４】
なお、図７において、コンテンツ記憶領域４７ａに記憶されるコンテンツと、利用者属性情報記憶領域４７ｂに記憶される利用者属性情報と、コンテンツ組合せ情報記憶領域４７ｆに記憶されるコンテンツ組合せ情報とは、管理サーバ２１の情報記憶部２７に記憶される対応する各情報と同一内容のコピーされた情報である（同図中網掛けで示す。）。
【００６５】
車載中継器９は、所定の制御プログラムに従って構成各部を制御する制御部と、各種プログラムやデータが記憶される記憶部と、アンテナを介して無線電波の送受信を行い、データ通信を行うために用いられる無線通信部とを有してなっている。
ＡＰ中継器１１は、所定の制御プログラムに従って構成各部を制御する制御部と、各種プログラムやデータが記憶される記憶部と、アンテナを介して無線電波の送受信を行い、所定のプロトコルに従ってデータ通信を行うために用いられる無線通信部と、ブルートゥース通信部とを有してなっている。
【００６６】
利用者端末４１（４２，４３，…）は、例えば、携帯電話機からなり、通話機能、例えばインターネットに接続してホームページの閲覧や電子メールの送受信が可能なデータ通信機能のほか、ブルートゥースを利用した近距離通信機能を有し、図８に示すように、当該利用者端末本体の構成各部を制御する制御部５１と、制御部５１が実行する処理プログラムや各種データ等を記憶するための記憶部５２と、アンテナを介して無線電波の送受信を行い、所定のプロトコルに従って通話やデータ通信を行うために用いられる無線通信部５３と、最寄りのＡＰ中継器１１や、ハンズフリー装置５１（５２，５３，…）との間で近距離を行って、コンテンツ等（主として音声情報）を授受するために用いられるブルートゥース通信部５４と、例えば、受信したホームページや電子メールの内容、待受画面、機能設定画面等が表示される表示部５５と、例えば、着信時等に音声を出力する音声出力部５６と、数字や文字の入力操作等を行うための多数の各種操作キー等からなる操作部５７と、送話音声を入力するマイクロフォンからなる送話部５８と、受話音声を出力するスピーカからなる受話部５９とから概略構成されている。
【００６７】
制御部５１は、ＣＰＵ（中央処理装置）等を有してなり、記憶部５２に記憶された制御プログラムに従って、利用者端末本体の構成各部を制御し、例えば、コンテンツサービス用ＨＭＩ（Hyuman Machine Interface）処理や、対ハンズフリー装置通信制御処理、プッシュ制御処理、コンテンツ受信制御処理、データ変換制御処理、オンデマンド制御処理、コンテンツ選択制御処理、インプレッションボタン情報送信制御処理、対車載サーバ通信制御処理等を実行する。
すなわち、制御部５１は、記憶部５２に記憶された制御プログラムを実行することによって、図９に示すように、コンテンツサービス用ＨＭＩ処理部５１ａや、対ハンズフリー装置通信制御処理部５１ｂ、プッシュ制御処理部５１ｃ、コンテンツ受信制御処理部５１ｄ、データ変換制御処理部５１ｅ、オンデマンド制御処理部５１ｆ、コンテンツ選択制御処理部５１ｇ、インプレッションボタン情報送信制御処理部５１ｈ、対車載サーバ通信制御処理部５１ｊ等として機能する。
【００６８】
コンテンツサービス用ＨＭＩ処理部５１ａは、利用者Ｃ１（Ｃ２，Ｃ３，…）からの指示入力や、利用者Ｃ１（Ｃ２，Ｃ３，…）へのサービス状況の通知を行う。
対ハンズフリー装置通信制御処理部５１ｂは、対応するハンズフリー装置５１（５２，５３，…）との間で行うブルートゥースを利用した近距離通信を制御する。
プッシュ制御処理部５１ｃは、車載サーバ８からの定期的なコンテンツ送信要求に対して、コンテンツ受信制御処理部５１ｄを制御して、コンテンツを受信する処理を制御する。
【００６９】
コンテンツ受信制御処理部５１ｄは、オンデマンド制御処理部５１ｆｃやプッシュ制御処理部５１ｃからの制御によって、対車載サーバ通信制御処理部５１ｊを介して車載サーバ８から取得したコンテンツをデータ変換制御処理部５１ｅへ渡す処理を制御する。
データ変換制御処理部５１ｅは、コンテンツ受信制御処理部５１ｄから受け取ったコンテンツを、ハンズフリー装置５１（５２，５３，…）で利用者Ｃ１（Ｃ２，Ｃ３，…）が実際に視聴できるように、データ変換し、再生する処理を制御する。なお、受信されたコンテンツが音声データからなる場合には、データ変換制御処理は省略されても良い。
オンデマンド制御処理部５１ｆは、利用者Ｃ１（Ｃ２，Ｃ３，…）の操作によってハンズフリー装置５１（５２，５３，…）からのコンテンツ配信（開始）要求に対して、コンテンツ受信制御処理部５１ｄを制御して、コンテンツを受信する処理を制御する。
【００７０】
コンテンツ選択制御処理部５１ｇは、利用者Ｃ１（Ｃ２，Ｃ３，…）の操作によってハンズフリー装置５１（５２，５３，…）からのコンテンツ選択（切替）要求に対して、接続可能な車載サーバ８を探索して、ネゴシエーションした上で、コンテンツ受信制御処理部５１ｄを制御して、新たなコンテンツを受信する処理を制御する。
インプレッションボタン情報送信制御処理部５１ｈは、利用者Ｃ１（Ｃ２，Ｃ３，…）が現在視聴しているコンテンツに対して、価値や満足を感じた場合に押下するハンズフリー装置５１（５２，５３，…）のインプレッションボタン６５ｃの押下回数等の情報を、車載サーバ通信制御処理部５１ｊを介して、車載サーバ８へ送信する処理を制御する。
対車載サーバ通信制御処理部５１ｊは、車載サーバ８との間で行う無線通信を制御する。
【００７１】
記憶部５２は、ＲＯＭ、ＲＡＭ等の半導体メモリ等からなり、制御部５１が実行する各種プログラムや、各種情報等が記憶される。
記憶部５２は、制御プログラム等が記憶されたプログラム記憶部と、各種情報が記憶された情報記憶部とを有してなっている。
プログラム記憶部は、コンテンツサービス用ＨＭＩ処理プログラムが記憶された記憶領域と、対ハンズフリー装置通信制御処理プログラムが記憶された記憶領域と、プッシュ制御処理プログラムが記憶された記憶領域と、コンテンツ受信制御処理プログラムが記憶された記憶領域と、データ変換制御処理プログラムが記憶された記憶領域と、オンデマンド制御処理プログラムが記憶された記憶領域と、コンテンツ選択制御処理プログラムが記憶された記憶領域と、インプレッションボタン情報送信制御処理プログラムが記憶された記憶領域と、対車載サーバ通信制御処理プログラムが記憶された記憶領域とを有している。
【００７２】
ブルートゥース通信部５４は、２．４５ＧＨｚ帯の電波をアンテナを介して送受信するためのＲＦチップとベースバンドチップとを有し、最寄りのＡＰ中継器１１や、ハンズフリー装置５１（５２，５３，…）との間で近距離を行って、コンテンツ等（主として音声情報）を授受するために用いられる。
ここで、電波伝送距離は、略１０ｍとされ、利用者端末２と車載サーバ５との間の通信は、いずれも略１０ｍ以下の近距離で行われる。
【００７３】
操作部５７は、ブルートゥースを利用した通信を行うために用いられるブルートゥース送信キーや、ブルートゥースを利用した近距離通信以外の通信を停止する通信制限モードへ移行するための通信制限モードキー、電子メールの作成や送受信を行うためのメールモード選択キー、音声通話を行うために用いる通話モード選択キー、ブラウザを起動させてホームページを閲覧するためのブラウザモード選択キー、クリアキー、電源キー、数字等を入力するためのテンキー、表示部５５に表示された表示画面上のカーソルを上下左右方向へ移動させるためのカーソルキー等が、筐体の正面に配置されてなっている。
表示部５５は、液晶ディスプレイ等からなり、文字や画像を表示するために用いられる。
【００７４】
ハンズフリー装置５１（５２，５３，…）は、図１０に示すように、当該ハンズフリー装置本体の構成各部を制御する制御部６１と、制御部６１が実行する処理プログラムや各種データ等を記憶するための記憶部６２と、アンテナを介して無線電波の送受信を行い、所定のプロトコルに従ってデータ通信を行うために用いられるブルートゥース通信部６３と、一対のイヤホン（ヘッドホン）からなる音声出力部６４と、入力操作等を行うための各種操作ボタン等からなる操作部６５とから概略構成されている。
制御部６１は、記憶部６２に記憶された制御プログラムに従って、例えば、再生データ処理や、再生制御処理、対利用者端末通信制御処理等を実行する。
すなわち、制御部６１は、図１１に示すように、記憶部６２に記憶された制御プログラムを実行することによって、再生データ処理部６１ａや、再生制御処理部６１ｂ、対利用者端末通信制御処理部６１ｃとして機能する。
【００７５】
再生データ処理部６１ａは、対利用者端末通信制御処理部６１ｃを介して、利用者端末４１（４２，４３，…）から受信したコンテンツの再生データを、音声出力部６４へ送る。
再生制御処理部６１ｂは、電源スイッチ／ボリューム兼用ボタン６５ａや、通信スイッチ／コンテンツ選択ダイヤル兼用ボタン６５ｂからの指示により、再生データの再生を制御すると共に、インプレションボタン６５ｃから通知される押下回数等の情報を、対利用者端末通信制御処理部６１ｃを介して、利用者端末４１（４２，４３，…）へ送信する処理を制御する。
対利用者端末通信制御処理部６１ｃは、利用者端末４１（４２，４３，…）との間で行うブルートゥースを利用した近距離通信を制御する。
【００７６】
記憶部６２は、制御プログラム等が記憶されたプログラム記憶部と、各種情報が記憶された情報記憶部とを有してなっている。
プログラム記憶部は、例えば、再生データ処理部プログラムが記憶された記憶領域と、再生制御処理部プログラムが記憶された記憶領域と、対利用者端末通信制御処理部プログラムが記憶された記憶領域とを有している。
操作部６５は、図１１に示すように、電源スイッチ／ボリューム兼用ボタン６５ａと、通信スイッチ／コンテンツ選択ダイヤル兼用ボタン６５ｂと、インプレションボタン６５ｃとを有している。
【００７７】
電源スイッチ／ボリューム兼用ボタン６５ａは、当該ハンズフリー装置５１（５２，５３，…）の電源のオン／オフをプッシュ式で行い、音量調整を例えばダイヤル式で行うように構成されている。
通信スイッチ／コンテンツ選択ダイヤル兼用ボタン６５ｂは、コンテンツの受信開始と終了とを例えばプッシュ式で指示し、別のコンテンツへの切替えのダイヤル式で指示するように構成されている。
【００７８】
インプレションボタン６５ｃは、利用者Ｃ１（Ｃ２，Ｃ３，…）が現在視聴しているコンテンツに対して、価値や満足を感じた場合に押下される。
電源スイッチ／ボリューム兼用ボタン６５ａと、通信スイッチ／コンテンツ選択ダイヤル兼用ボタン６５ｂと、インプレションボタン６５ｃ利用者Ｃ１（Ｃ２，Ｃ３，…）とは、いずれも、当該ハンズフリー装置５１（５２，５３，…）を頭部に装着した状態で指だけで場所を特定して操作可能とされている。
【００７９】
次に、図１２乃至図１７を参照して、上記構成の携帯通信システム１の動作について説明する。
まず、情報発信者Ｂ１，Ｂ２，…，Ｂｍからのコンテンツ登録処理について説明する。
発信者端末３１（３２，３３，…，３ｍ）の制御部３１は、情報発信者Ｂ１（Ｂ２，Ｂ３，…，Ｂｍ）の操作によって、必要な分だけコンテンツが入力されると（ステップＳＡ１１（図１２））、入力されたコンテンツを、記憶部３２に書き込む（ステップＳＡ１２）。
【００８０】
次に、制御部３１は、コンテンツの書込みが完了すると、書込完了メッセージを表示部３４に表示させる（ステップＳＡ１３）。
なお、予め、利用者Ｃ１，Ｃ２，…から利用者属性情報を得ていた場合には、利用者属性情報をコンテンツと同様に、入力された後、制御部３１が記憶部３２に書き込むようにしても良い。
次に、制御部３１は、ステップＳＡ１４で、情報発信者Ｂ１（Ｂ２，Ｂ３，…，Ｂｍ）の操作によって、接続要求指示を受けると、管理サーバ２１に対して接続要求信号を送信する（ステップＳＡ１５）。
管理サーバ２１で、接続要求信号を受信し、制御部２４が、発信者端末３１（３２，３３，…，３ｍ）へ接続許可信号を送信し（ステップＳＡ１６）、発信者端末３１（３２，３３，…，３ｍ）では、接続許可信号を受信すると、制御部３１は、接続許可メッセージを表示部３４に表示させる（ステップＳＡ１７）。
次に、制御部３１は、ステップＳＡ１８で、情報発信者Ｂ１（Ｂ２，Ｂ３，…，Ｂｍ）の操作によって、書込済みコンテンツのうち必要分だけ指定され、登録要求指示を受けると、管理サーバ２１に対して登録要求信号を送信する（ステップＳＡ１９）。
管理サーバ２１で、登録要求信号を受信し、制御部２４が、発信者端末３１（３２，３３，…，３ｍ）へ登録許可信号を送信し（ステップＳＡ２０）、発信者端末３１（３２，３３，…，３ｍ）では、登録許可信号を受信すると、制御部３１は、記憶部３２から指定されたコンテンツを読み出し（ステップＳＡ２１）、読み出したコンテンツを管理サーバ２１へ送信する（ステップＳＡ２２）。
【００８１】
管理サーバ２１では、コンテンツを受信すると、制御部２４が、コンテンツを記憶部２５に書き込み、書込みが完了すると、書込完了通知信号を発信者端末３１（３２，３３，…，３ｍ）へ送信する（ステップＳＡ２４）。
発信者端末３１（３２，３３，…，３ｍ）では、書込完了通知信号を受信すると、制御部３１は、登録完了メッセージを表示部３４に表示させる（ステップＳＡ２５）。
次に、制御部３１は、ステップＳＡ２６で、情報発信者Ｂ１（Ｂ２，Ｂ３，…，Ｂｍ）の操作によって、切断要求指示を受けると、管理サーバ２１に対して切断要求信号を送信する（ステップＳＡ２７）。
管理サーバ２１では、切断要求信号を受信し、制御部２４が、発信者端末３１（３２，３３，…，３ｍ）へ切断許可信号を送信し（ステップＳＡ２８）、発信者端末３１（３２，３３，…，３ｍ）で、切断許可信号を受信すると、制御部３１は、切断許可メッセージを表示部３４に表示させる（ステップＳＡ２９）。これによって、一連のコンテンツ登録処理が終了する。
【００８２】
次に、車載サーバ８からのコンテンツ更新要求処理について説明する。
車載サーバ８の制御部４４は、例えば、電車Ｆの運行開始時や、エリア中継器７１（７２，７３，…，７ｎ）が配置された駅への到着時等で、コンテンツの更新が必要であると判断すると（ステップＳＢ１１（図１３））、エリア中継装置７１（７２，７３，…，７ｎ）に対して、接続要求信号を送信する（ステップＳＢ１２）。
エリア中継装置７１（７２，７３，…，７ｎ）では、接続要求信号を受信すると、制御部３８は、管理サーバ２１へ接続要求信号を転送する（ステップＳＢ１３）。
【００８３】
管理サーバ２１で、接続要求信号を受信し、制御部２４が、エリア中継装置７１（７２，７３，…，７ｎ）へ接続許可信号を送信し（ステップＳＢ１４）、エリア中継装置７１（７２，７３，…，７ｎ）で、接続許可信号を受信すると、制御部３８は、車載サーバ８へ接続許可信号を転送する（ステップＳＢ１５）。
車載サーバ８では、接続許可信号を受信すると、制御部４４は、エリア中継装置７１（７２，７３，…，７ｎ）に対して、コンテンツ更新要求信号を送信する（ステップＳＢ１６）。
【００８４】
エリア中継装置７１（７２，７３，…，７ｎ）では、コンテンツ更新要求信号を受信すると、制御部３８は、車載サーバ８へコンテンツ更新要求信号を転送する（ステップＳＢ１７）。
管理サーバ２１では、コンテンツ更新要求信号を受信すると、制御部２４は、情報記憶部（データベース）２７内のコンテンツ組合せ情報に基づいて、コンテンツを情報記憶部２７から選択して読み出し（ステップＳＢ１８）、読み出したコンテンツをエリア中継装置７１（７２，７３，…，７ｎ）へ送信する（ステップＳＢ１９）。
エリア中継装置７１（７２，７３，…，７ｎ）では、コンテンツを受信すると、制御部３８は、車載サーバ８へコンテンツを転送する（ステップＳＢ２０）。
【００８５】
車載サーバ８では、コンテンツを受信すると、制御部４４は、コンテンツを、情報記憶部４７に書き込み（ステップＳＢ２１）、エリア中継装置７１（７２，７３，…，７ｎ）に対して、切断要求信号を送信する（ステップＳＢ２２）。
エリア中継装置７１（７２，７３，…，７ｎ）では、切断要求信号を受信すると、制御部３８は、管理サーバ２１へ切断要求信号を転送する（ステップＳＢ２３）。
【００８６】
管理サーバ２１で、切断要求信号を受信し、制御部２４が、切断完了通知信号をエリア中継装置７１（７２，７３，…，７ｎ）へ送信し（ステップＳＢ２４）、エリア中継装置７１（７２，７３，…，７ｎ）で、切断完了通知信号を受信すると、制御部３８は、車載サーバ８へ切断完了通知信号を転送し（ステップＳＢ２５）、車載サーバ８が、切断完了通知信号を受信する（ステップＳＢ２６）。これによって、一連の車載サーバ８からのコンテンツ更新要求処理が終了する。
【００８７】
次に、オンデマンド型のコンテンツ供給処理について説明する。
ハンズフリー装置５１（５２，５３，…）の制御部６１は、利用者Ｃ１（Ｃ２，Ｃ３，…）の操作によって、接続先探索指示を受けると（ステップＳＣ１１（図１４））、接続先探索要求信号を、対応する利用者端末４１（４２，４３，…）へ送信する（ステップＳＣ１２）。
利用者端末４１（４２，４３，…）では、接続先探索要求信号を受信すると、制御部５１は、最寄のＡＰ中継器１１へ接続先探索要求信号を転送する（ステップＳＣ１３）。
ＡＰ中継器１１では、接続先探索要求信号を受信すると、制御部が、接続先探索要求信号を、車載中継器９へ転送する（ステップＳＣ１４）。
【００８８】
車載中継器９では、接続先探索要求信号を受信すると、制御部が、接続先探索要求信号を、車載サーバ８へ転送する（ステップＳＣ１５）。
探索されたその車載サーバ８では、接続先探索要求信号を受信すると、制御部２４が、車載中継器９に対して、接続先返答信号を送信する（ステップＳＣ１６）。
車載中継器９では、接続先返答信号を受信すると、制御部が、ＡＰ中継器１１へ、接続先返答信号を転送する（ステップＳＣ１７）。
ＡＰ中継器１１では、接続先返答信号を受けると、制御部が、利用者端末４１（４２，４３，…）へ、接続先返答信号を転送する（ステップＳＣ１８）。
【００８９】
利用者端末４１（４２，４３，…）では、接続先返答信号を受信すると、制御部５１が、接続要求信号を、ＡＰ中継器１１へ送信する（ステップＳＣ１９）。
ＡＰ中継器１１では、接続要求信号を受信すると、制御部が、接続要求信号を、車載中継器９へ転送する（ステップＳＣ２０）。
車載中継器９では、接続要求信号を受信すると、制御部が、接続要求信号を、車載サーバ８へ転送する（ステップＳＣ２１）。
【００９０】
車載サーバ８では、接続要求信号を受信すると、制御部２４が、要求してきた利用者Ｃ１（Ｃ２，Ｃ３，…）の属性情報に対応するコンテンツ組合せ情報を情報記憶部２７から読み出し（ステップＳＣ２２）、接続許可信号及びコンテンツ組合せ情報を、車載中継器９へ送信する（ステップＳＣ２３）。
ここで、送信されるコンテンツ組合せ情報は、利用者Ｃ１（Ｃ２，Ｃ３，…）の属性情報に加えて、必要に応じて、配信される情報の利用場所として、地域（エリア）や建物、利用交通機関等が考慮される。
車載中継器９では、接続許可信号及びコンテンツ組合せ情報を受信すると、制御部が、ＡＰ中継器１１へ、接続許可信号及びコンテンツ組合せ情報を転送する（ステップＳＣ２４）。
ＡＰ中継器１１では、接続許可信号及びコンテンツ組合せ情報を受信すると、制御部が、利用者端末４１（４２，４３，…）へ、接続許可信号及びコンテンツ組合せ情報を転送する（ステップＳＣ２５）。
【００９１】
利用者端末４１（４２，４３，…）では、接続許可信号及びコンテンツ組合せ情報を受信すると、制御部５１が、コンテンツ組合せ情報を、ハンズフリー装置５１（５２，５３，…）へ音声データとして送信する（ステップＳＣ２６）。
ハンズフリー装置５１（５２，５３，…）では、コンテンツ組合せ情報を受信すると、制御部６１は、音声出力部６４からコンテンツ組合せ情報に対応する音声（例えば、番号付きのメニュー音声）を出力させる（ステップＳＣ２７）。
制御部６１は、コンテンツ組合せ情報を通知された利用者Ｃ１（Ｃ２，Ｃ３，…）の操作（通信スイッチ／コンテンツ選択ダイヤル兼用ボタン６５ｂの操作）によって、視聴するコンテンツの選択及び送信要求指示がなされると（ステップＳＣ２８）、コンテンツ送信要求信号をデータ化の上、利用者端末４１（４２，４３，…）へ送信する（ステップＳＣ２９）。
【００９２】
利用者端末４１（４２，４３，…）では、コンテンツ送信要求信号を受信すると、制御部５１が、コンテンツ送信要求信号を、ＡＰ中継器１１へ送信する（ステップＳＣ３０）。
ＡＰ中継器１１では、コンテンツ送信要求信号を受信すると、制御部が、コンテンツ送信要求信号求を、車載中継器９へ転送する（ステップＳＣ３１）。
車載中継器９では、コンテンツ送信要求信号を受信すると、制御部が、コンテンツ送信要求信号を、車載サーバ８へ転送する（ステップＳＣ３２）。
車載サーバ８では、コンテンツ送信要求信号を受信すると、制御部２４が、情報記憶部２７から指定されたコンテンツを読み出し（ステップＳＣ３３）、車載中継器９へコンテンツを送信する（ステップＳＣ３４（図１５））。
【００９３】
車載中継器９では、コンテンツを受信すると、制御部が、ＡＰ中継器１１へ、コンテンツを転送する（ステップＳＣ３５）。
ＡＰ中継器１１では、コンテンツを受信すると、制御部が、利用者端末４１（４２，４３，…）へ、コンテンツを転送する（ステップＳＣ３６）。
利用者端末４１（４２，４３，…）では、コンテンツを受信すると、制御部５１が、データ変換処理を行い（ステップＳＣ３７）、再生データを、ハンズフリー装置５１（５２，５３，…）へ送信する（ステップＳＣ３８）。
ハンズフリー装置５１（５２，５３，…）では、再生データを受信すると、制御部６１は、音声出力部６４を制御して再生出力させる（ステップＳＣ３９）。
【００９４】
制御部６１は、コンテンツを視聴した利用者Ｃ１（Ｃ２，Ｃ３，…）の操作（通信スイッチ／コンテンツ選択ダイヤル兼用ボタン６５ｂの操作）によって、視聴終了又は視聴中断のための切断要求指示を受けると（ステップＳＣ４０）、切断要求信号をデータ化の上、対応する利用者端末４１（４２，４３，…）へ送信する（ステップＳＣ４１）。
利用者端末４１（４２，４３，…）では、切断要求信号を受信すると、制御部５１は、最寄のＡＰ中継器１１へ切断要求信号を転送する（ステップＳＣ４２）。
ＡＰ中継器１１では、切断要求信号を受信すると、制御部が、切断要求信号を、車載中継器９へ転送する（ステップＳＣ４３）。
【００９５】
車載中継器９では、切断要求信号を受けると、制御部が、切断要求信号を、車載サーバ８へ転送する（ステップＳＣ４４）。
車載サーバ８では、切断要求信号を受けると、制御部２４が、情報記憶部２７にこれまでの利用情報をまとめて書き込み（ステップＳＣ４５）、車載中継器９に対して、切断要求返答信号を送信する（ステップＳＣ４６）。
車載中継器９では、切断要求返答信号を受信すると、制御部が、ＡＰ中継器１１へ、切断要求返答信号を転送する（ステップＳＣ４７）。
【００９６】
ＡＰ中継器１１では、切断要求返答信号を受信すると、制御部が、利用者端末４１（４２，４３，…）へ、切断要求返答信号を転送する（ステップＳＣ４８）。
利用者端末４１（４２，４３，…）では、切断要求返答信号を受信すると、制御部５１が、切断要求返答信号を、ハンズフリー装置５１（５２，５３，…）へ転送する（ステップＳＣ４９）。
ハンズフリー装置５１（５２，５３，…）では、切断要求返答信号を受信すると、制御部６１は、音声出力部６４を制御して、切断要求返答があったことを通知するための例えばビープ音を出力させる（ステップＳＣ５０）。これによって、一連のオンデマンド型のコンテンツ供給処理が終了する。
【００９７】
次に、プッシュ型のコンテンツ供給処理について説明する。
車載サーバ８の制御部４４は、コンテンツ送信のための適切な時機であると判断すると（例えば、定期起動時等をトリガとすることによって）（ステップＳＤ１１（図１６））、車載中継器９に対して、利用者探索要求信号を送信する（ステップＳＤ１２）。
車載中継器９では、利用者探索要求信号を受信すると、制御部が、ＡＰ中継器１１へ、利用者探索要求信号を転送する（ステップＳＤ１３）。
ＡＰ中継器１１では、利用者探索要求信号を受信すると、制御部が、利用者端末４１（４２，４３，…）へ、利用者探索要求信号を転送する（ステップＳＤ１４）。
【００９８】
探索された利用者端末４１（４２，４３，…）では、利用者探索要求信号を受信すると、制御部５１が、対応するハンズフリー装置５１（５２，５３，…）の稼働中か否かを確認し（ステップＳＤ１５）、その結果を探索要求応答信号としてＡＰ中継器１１へ送信する（ステップＳＤ１６）。
ＡＰ中継器１１では、探索要求応答信号を受信すると、制御部が、探索要求応答信号を、車載中継器９へ転送する（ステップＳＤ１７）。
車載中継器９では、探索要求応答信号を受けると、制御部が、探索要求応答信号を、車載サーバ８へ転送する（ステップＳＤ１８）。
【００９９】
車載サーバ８では、探索要求応答信号を受け、制御部４４が、対応するハンズフリー装置５１（５２，５３，…）が稼働中であると判断すると（ステップＳＤ１９）、すなわち、応答があり、かつ、稼働中のものが１つでもある場合は、利用者端末４１（４２，４３，…）（ハンズフリー装置５１（５２，５３，…））へコンテンツを配信すべく、車載中継器９に対して、接続要求信号を送信する（ステップＳＤ２０）。もし、探索要求応答が１つもないか、ハンズフリー装置５１（５２，５３，…）が未稼働状態である場合は、ステップＳＤ１１へ戻り、例えば、定期起動からの処理を繰り返す。
車載中継器９では、接続要求信号を受信すると、制御部が、ＡＰ中継器１１へ、接続要求信号を転送する（ステップＳＤ２１）。
ＡＰ中継器１１では、接続要求信号を受信すると、制御部が、利用者端末４１（４２，４３，…）へ、接続要求信号を転送する（ステップＳＤ２２）。
【０１００】
利用者端末４１（４２，４３，…）で、接続要求信号を受信し、制御部５１が、接続許可信号を、ＡＰ中継器１１へ送信し（ステップＳＤ２３）、ＡＰ中継器１１で、接続許可信号を受信すると、制御部が、接続許可信号を、車載中継器９へ転送する（ステップＳＤ２４）。
車載中継器９では、接続許可信号を受けると、制御部が、接続許可信号を、車載サーバ８へ転送する（ステップＳＤ２５）。
【０１０１】
車載サーバ８では、接続許可信号を受信すると、制御部４４が、情報記憶部（データべース）４７からコンテンツを読み出し（ステップＳＤ２６）、読み出したコンテンツを、車載中継器９へ送信する（ステップＳＤ２７）。
車載中継器９では、コンテンツを受信すると、制御部が、ＡＰ中継器１１へ、コンテンツを転送する（ステップＳＤ２８）。
ＡＰ中継器１１では、コンテンツを受信すると、制御部が、利用者端末４１（４２，４３，…）へ、コンテンツを転送する（ステップＳＤ２９）。
【０１０２】
利用者端末４１（４２，４３，…）では、コンテンツを受信すると、制御部５１が、データ変化処理を行い（ステップＳＤ３０）、再生データを、ハンズフリー装置５１（５２，５３，…）へ送信する（ステップＳＤ３１）。
ハンズフリー装置５１（５２，５３，…）では、再生データを受け取ると、制御部６１は、音声出力部６４を制御して再生出力させる（ステップＳＤ３２）。
制御部６１は、再生されたコンテンツを視聴した利用者Ｃ１（Ｃ２，Ｃ３，…）の操作（例えば、通信スイッチ／コンテンツ選択ダイヤル兼用ボタン６５ｂの押下）によって、視聴終了又は視聴中断の際の切断要求指示がなされると（ステップＳＤ３３）、切断要求信号をデータ化の上、利用者端末４１（４２，４３，…）へ送信する（ステップＳＤ３４）。
【０１０３】
利用者端末４１（４２，４３，…）では、切断要求信号を受けると、制御部５１が、ＡＰ中継器１１へ切断要求信号を転送する（ステップＳＤ３５）。
ＡＰ中継器１１では、切断要求信号を受信すると、制御部が、車載中継器９へ切断要求信号を転送する（ステップＳＤ３６）。
車載中継器９では、切断要求信号を受けると、制御部が、車載サーバ８へ切断要求信号を転送する（ステップＳＤ３７）。
車載サーバ８では、切断要求信号を受信すると、制御部４４が、情報記憶部４７へ、これまでの利用情報をまとめて書き込み（ステップＳＤ３８）、車載中継器９へ切断要求応答信号を送信する（ステップＳＤ３９）。
【０１０４】
車載中継器９では、切断要求応答信号を受信すると、制御部が、ＡＰ中継器１１へ、切断要求応答信号を転送する（ステップＳＤ４０）。
ＡＰ中継器１１では、切断要求応答信号を受信すると、制御部が、利用者端末４１（４２，４３，…）へ、切断要求応答信号を転送する（ステップＳＤ４１）。
利用者端末４１（４２，４３，…）では、切断要求応答信号を受信すると、制御部５１が、ハンズフリー装置５１（５２，５３，…）へ切断要求応答信号を転送する（ステップＳＤ４２）。
ハンズフリー装置５１（５２，５３，…）では、切断要求応答信号を受信すると、制御部６１は、音声出力部６４を制御して、切断要求応答があったことを通知するための例えばビープ音を出力させる（ステップＳＤ４３）。これによって、一連のプッシュ型のコンテンツ供給処理が終了する。
【０１０５】
次に、視聴レポート及びコンテンツ組合せ情報の作成処理について説明する。
ハンズフリー装置５１（５２，５３，…）の制御部６１は、現在視聴しているコンテンツに対して「価値」や「満足」を感じた利用者Ｃ１（Ｃ２，Ｃ３，…）の操作によって、「価値」や「満足」を意味するインプレッションボタンが押下されると（ステップＳＥ１１（図１７））、ボタン押下情報（例えば、押下回数を含む）を、データ化の上、対応する利用者端末４１（４２，４３，…）へ送信する（ステップＳＥ１２）。
利用者端末４１（４２，４３，…）では、ボタン押下情報を受信すると、制御部５１は、最寄のＡＰ中継器１１へボタン押下情報を転送する（ステップＳＥ１３）。
ＡＰ中継器１１では、ボタン押下情報を受信すると、制御部が、ボタン押下情報を、車載中継器９へ転送する（ステップＳＥ１４）。
【０１０６】
車載中継器９では、ボタン押下情報を受信すると、制御部が、ボタン押下情報を、車載サーバ８へ転送する（ステップＳＥ１５）。
車載サーバ８では、ボタン押下情報を受信すると、制御部４４が、ボタン押下情報を利用情報として情報記憶部４７に書き込む（ステップＳＥ１６）。
車載サーバ８で、制御部４４が、利用情報読出しのための適切な時機であると判断すると（例えば、定期起動時等をトリガとすることによって）（ステップＳＥ１７）、情報記憶部４７に溜まっている満足度情報、利用情報種別／視聴時間情報及び利用位置情報等の一連の利用情報を情報記憶部４７から読み出し（ステップＳＥ１８）、読み出した利用情報をエリア中継装置７１（７２，７３，…，７ｎ）へ送信する（ステップＳＥ１９）。
【０１０７】
エリア中継装置７１（７２，７３，…，７ｎ）では、利用情報を受信すると、制御部３８は、管理サーバ２１へ利用情報を転送する（ステップＳＥ２０）。
管理サーバ２１では、利用情報を受信すると、制御部２４は、利用情報を記憶部２５に書き込む（ステップＳＥ２１）。
管理サーバ２１で、制御部２４が、利用情報読出しのための適切な時機であると判断すると（例えば、定期起動時等をトリガとすることによって）（ステップＳＥ２２）、利用情報を記憶部２５から読み出し（ステップＳＥ２３）、集計／分析処理を施し（ステップＳＥ２４）、集計／分析結果に基づいて、視聴レポートを作成し、記憶部２５に書き込み（ステップＳＥ２５）、さらに、集計／分析結果に基づいて、例えば利用者の属性別にお勧めのコンテンツの組合せ情報を作成して、記憶部２５に書き込む（ステップＳＥ２６）。
【０１０８】
発信者端末３１（３２，３３，…，３ｍ）の制御部３１が、情報発信者Ｂ１（Ｂ２，Ｂ３，…，Ｂｍ）の操作によって、適宜視聴レポートの参照要求信号を管理サーバ２１へ送信し（ステップＳＥ２７）、管理サーバ２１が参照要求信号を受信すると、制御部２４は、記憶部２５から視聴レポートを読み出し（ステップＳＥ２８）、発信者端末３１（３２，３３，…，３ｍ）へ送信する（ステップＳＥ２９）。
発信者端末３１（３２，３３，…，３ｍ）が視聴レポートを受信すると、制御部３１は、視聴レポートを、表示部３４に表示させる（ステップＳＥ３０）。
【０１０９】
このように、この例の構成によれば、エリアＥ１（Ｅ２，Ｅ３，…，Ｅｎ）別に、エリア中継器７１（７２，７３，…，７ｎ）が配置され、かつ、サブエリアＳ毎に車載サーバ８が配置されて、利用者の例えば現在位置のエリアＥ１（Ｅ２，Ｅ３，…，Ｅｎ）及びサブエリアＳに関連した情報や、利用者の属性はもとより、エリアＥ１（Ｅ２，Ｅ３，…，Ｅｎ）別に調製されたコンテンツ等の情報を提供できると共に、利用者端末４１（４２，４３，…）は、サブエリアＳ内の最寄のＡＰ中継器１１を介して近距離通信によってコンテンツ等を受信できるので、モバイル環境下で、場所及び時間を問わず、利用者の多様な要求に適合した情報を、例えば、利用者が乗車中であっても、確実にかつ円滑に供給することができる。
【０１１０】
すなわち、利用者の属性（性別、年齢、生活スタイル、趣味、嗜好、職業等）のほかに、配信される情報の利用場所として、地域（エリア）や建物、利用交通機関等別に考慮された情報が近距離通信を活用して配信される。
例えば、地域によって、利用者に知らせるのに最適なイベント情報（個人主催、商店街主催、町内会主催、市主催、口コミ等）や、店舗の特売、キャンペーン情報等の地域限定のサービス情報を選定したり、利用交通機関の種別や行先別に、運行情報や、乗り換え情報、乗降駅構内のイベント情報等を選定可能なように構成されているので、ローカルに、かつ、タイムリーに、利用者に情報を提供することができる。
【０１１１】
ここで、管理サーバ２１は、利用者が利用するコンテンツについて、インプレションボタン６５ｃの押下に基づいた利用者の満足度情報を収集し、集計及び分析して、視聴レポートを作成して、コンテンツの情報発信者へフィードバックされるので、情報発信者は、利用者の多様な要求に正確に適合した情報を作成することができる。
また、利用者毎に、個別に調製されたコンテンツを提供することも可能となり、利用者の多様な要求に適合した情報を、一段と確実にかつ円滑に供給することができる。
【０１１２】
さらに、情報提供者にとって、より効果的な宣伝、集客、ニーズの掘り起こし、利用者に対する木目細かなサービスの提供が可能となり、ビジネスの立ち上げや、発展のために有用なプラットフォームを提供することができる。
また、近距離通信を活用した携帯通信システム１において、利用者は、特に無線局免許申請が不要で、かつ、簡便に、コンテンツ配信サービスを享受することができる。
【０１１３】
また、利用者端末４１（４２，４３，…）とハンズフリー装置５１（５２，５３，…）とは、ブルートゥースを利用した近距離通信によって、相互に接続されると共に、ハンズフリー装置５１（５２，５３，…）は、操作手段として、プッシュ式とダイヤル式とを組み合わせた電源スイッチ／ボリューム兼用ボタン６５ａ及び通信スイッチ／コンテンツ選択ダイヤル兼用ボタン６５ｂと、プッシュ式のインプレションボタン６５ｃとを配置し、ボタン数を必要最小限として、目視不要でコンテンツの入手や選択等のための操作が可能なインターフェース機能を有しているので、移動中や待ち時間等に、簡単にかつ円滑に利用することができる。
【０１１４】
すなわち、コンテンツ（主として音声情報）を受信して利用する場合に、表示画面や操作面の頻繁な目視や、保持や機能選択の操作のための片手又は両手の束縛から解放され、歩きながらや、立ったままの状態での中長時間の使用に対応し、モバイル環境下での待ち時間、立ち時間、順番待ち時間等における「ながら利用」や「はぎれ時間活用」のための使い勝手を向上させることができる。
特に、電車の車両内では、乗客は、つり革につかまって立ち乗車となる場合が多く、また、通勤や通学の場合は、数十分間程度のまとまった時間を毎日過ごすこととなるので、電車の車両内は、需要や効果が最も高い利用場所として適用して好適である。
【０１１５】
また、車載サーバ８は、ハンズフリー装置５１（５２，５３，…）から、ＡＰ中継器１１等を介して、接続要求を受けると、利用者の属性情報等に基づいて、利用者向けに選択されたコンテンツ組合せ情報を送信し、利用者は、ハンズフリー装置５１（５２，５３，…）で、コンテンツ組合せ情報のなかから選択操作をして、コンテンツを要求できるので、選択の自由度を確保しつつ、利用者の要望に適合したコンテンツを簡単に利用することができる。
また、車載サーバ８は、まず、利用者端末４１（４２，４３，…）に対して、ハンズフリー装置５１（５２，５３，…）の稼働状況の問合せを行い、利用者端末４１（４２，４３，…））から、ハンズフリー装置５１（５２，５３，…）の稼働状況情報を受け取り、ハンズフリー装置５１（５２，５３，…）が稼働状態のときに、利用者端末４１（４２，４３，…）へコンテンツを供給するので、「ながら利用」や「はぎれ時間活用」を積極的に行おうとしている利用者に対して、迅速にかつ確実にコンテンツを提供することができる。
【０１１６】
また、管理サーバ２１のほかに、移動体としての電車に配置した車載サーバ８においてもコンテンツを重複させて保持するようにしたので、固定のエリア中継器７１（７２，７３，…，７ｎ）と移動体としての電車内の利用者端末４１（４２，４３，…）との間に、無線の不通時間帯があったとしても、所望のコンテンツの配信を確実に受けることができる。
また、利用者端末４１（４２，４３，…）は、コンテンツを保持した管理サーバ２１と直接通信を行って、コンテンツの配信を受けるのではなく、エリア中継器７１（７２，７３，…，７ｎ）、車載サーバ８、車載中継器９、及びＡＰ中継器１１を介して、コンテンツを受信し、例えば、電車Ｆの車両Ｇ内では、利用者端末４１（４２，４３，…）は、最寄のＡＰ中継器１１とはブルートゥースを利用した近距離通信によって、相互に接続されるので、例えば一部の医療機器の動作に悪影響を与えるほどの強い電波の送受信を行うことはないので、例えば、同一車内の一部の医療機器の使用者に被害を与えてしまうことはない。
【実施例２】
【０１１７】
図１８は、この発明の第２の実施例である携帯通信システムの利用者端末の構成を示すブロック図である。
この例が上述した第１の実施例と大きく異なるところは、第１の実施例では、ハンズフリー装置５１（５２，５３，…）が未稼働時には、プッシュ型のコンテンツ配信を行わないように構成したのに対して、利用者探索要求受信時に、ハンズフリー装置５１（５２，５３，…）の稼働（着用）を促すように通知を行うように構成した点である。
これ以外の構成は、上述した第１の実施例の構成と略同一であるので、第１の実施例と同一の構成要素については、図１８において、例えば、図８で用いた符号と同一の符号を用いて、その説明を簡略にする。
【０１１８】
この例の利用者端末７１１（７１２，７１３，…）は、図１８に示すように、例えば、携帯電話機からなり、ブルートゥースを利用した近距離通信機能を有し、図１８に示すように、当該利用者端末本体の構成各部を制御する制御部５１と、記憶部５２と、無線通信部５３と、最寄りのＡＰ中継器１１や、ハンズフリー装置５１（５２，５３，…）との間で近距離通信を行うためのブルートゥース通信部５４と、表示部５５と、例えば、利用者探索要求受信時や着信時等に音声を出力する音声出力部５６と、操作部５７と、送話部５８と、受話部５９と、ＬＥＤを有し、例えば、利用者探索要求受信時や着信時等に発光する発光部７３と、例えば、利用者探索要求受信時や着信時等に振動する振動部７４とから概略構成されている。
この例では、制御部５１は、管理サーバ２１から利用者探索要求信号をＡＰ中継器１１を介して受信すると、ハンズフリー装置５１（５２，５３，…）が未稼働時には、音声出力部５６、発光部７３及び振動部７４を制御して、音声や、光、振動で、利用者に、ハンズフリー装置５１（５２，５３，…）の稼働（着用）を促すように通知を行わせる。
【０１１９】
この例の構成によれば、上述した第１の実施例と略同様の効果を得ることができる。
加えて、利用者にとっては、コンテンツや関連する情報を、確実に利用することができる。
【０１２０】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、利用者がコンテンツ供給等のサービスを受ける利用場所として、電車の車両内で利用する場合について述べたが、これに限らず、移動体として、バスや、船舶、航空機のなかで、サービスを受ける場合にも適用することができる。
【０１２１】
また、利用場所として、移動体内に限らず、駅等のターミナルの建物や、大規模商業施設、宿泊施設等の大型の建物内、一般の店舗内等でも利用できる。また、商業施設等に限らず、一般企業のビル内や、病院、公民館、役所内でも利用できる。また、建物内でも、例えば、エレベータホール内等の所定の範囲で適用しても良い。また、建物内に限らず、商店街や、イベント会場、町内等の比較的広範囲内で利用することができる。
【０１２２】
また、利用者へのコンテンツの配信に加え、例えば、場所を限定した広告や、役所内での公共サービスの案内、病院内でのボランティアによる福祉サービスの案内、イベント会場での人員誘導に関する情報の送受信のために適用することができる。これによって、そのとき、その場所で必要とされる適切な情報を、ローカルに、タイムリーに、かつ、簡便に提供することができる。
【０１２３】
また、情報管理センタ２の管理サーバ２１と、利用者端末４１（４２，４３，…）との間に介在する中継機器群６の階層を、エリア中継器７１（７２，７３，…，７ｎ）と、車載サーバ８と、車載中継器９と、ＡＰ中継器１１とから構成して、４階層とする場合について述べたが、もちろん、これに限らず、３階層以下としても５階層以上としても良い。
【０１２４】
また、大元の管理サーバ２１のほかに、移動体としての電車に配置した車載サーバ８においてもコンテンツを重複させて保持する場合について述べたが、移動体内で利用するのでなければ、すなわち、固定の無線中継器との間での無線の不通時間帯がなければ、コンテンツの重複保持を廃して、毎回管理サーバ２１からコンテンツの配信を受けても良いし、逆に、車載サーバ８よりも下位側の中継器でコンテンツを重複保持するように構成しても良い。
【０１２５】
また、利用者が求める情報自体をコンテンツとする場合について述べたが、このコンテンツに、広告（ＣＭ）の音声を包含させて、ビジネス性（採算性）を高めるようにしても良い。
また、配信対象のコンテンツを、音声そのものデータファイルから構成しても良いし、例えば、管理サーバ２１の情報記憶部（データベース）には文章を登録し、この管理サーバ、又は利用者端末４１（４２，４３，…）に、文書読上機能を付加して音声データに変換するようにしても良い。
【０１２６】
また、利用者から情報発信者に対して、コンテンツに対する満足度に関する情報を、フィードバックするために、管理サーバ２１が視聴レポートを作成して、求めに応じて発信者端末３１（３２，３３，…，３ｍ）へ送付する場合について述べたが、満足度や、新しいコンテンツの提案、再配信リクエスト等に関する情報を、利用者が利用者端末４１（４２，４３，…）から、又は別の端末からインタネット経由で、発信者端末３１（３２，３３，…，３ｍ）へ直接、又は管理サーバ２１へ送信するようにしても良い。
【０１２７】
また、音声主体の情報通信手段としてのハンズフリー装置５１（５２，５３，…）を、難聴者、聴覚障害者向けの補聴器と一体化するか、又は補聴器に代えて用いるようにしても良い。この場合、利用者の属性に従い、利用者個人に対する音量や音質の最適化処理を、管理サーバ２１、利用者端末４１（４２，４３，…）、又はハンズフリー装置５１（５２，５３，…）が行うように構成しても良い。
また、コンテンツの視聴の中断を、利用者の操作によって行う場合について述べたが、これに加えて、車載サーバ８や利用者端末４１（４２，４３，…）に、例えば、構内アナウンスの有無をエリアＥ１（Ｅ２，Ｅ３，…，Ｅｎ）内の放送設備から受信し、コンテンツの再生を中断、又はミュートする機能を付加するようにしても良い。
【０１２８】
また、利用者端末４１（４２，４３，…）において、例えば、利用者が他者と音声通話中に、又は他の音声サービスを利用中に、車載サーバ８から利用者探索要求を受けた場合に、応答しないようにしても良いし、コンテンツ受信不可との返答を送っても良いし、コンテンツ受信可能な状態に切り換えて良い。
逆に、車載サーバ８から送信されたコンテンツを視聴中に、音声通話の着信があった場合や、他の音声サービスが発生した場合に、コンテンツ視聴を継続しても良いし、中断しても良い。また、このようなサービス同士の割込条件（優先順位等）を、予め設定（変更）可能なように構成しても良い。
【０１２９】
また、例えば、ＡＰ中継器１１と利用者端末４１（４２，４３，…）との間で、ブルートゥースを利用した近距離通信を行う場合について述べたが、無線ＬＡＮによって接続するようにしても良い。無線ＬＡＮの伝送媒体としては、２．４ＧＨｚ帯の電波でも良いし、１９ＧＨｚ帯の電波でも良い。また、赤外線を用いても良い。
この場合、利用者が煩雑な事前の設定操作を強いられることを回避するために、エリアＥ１（Ｅ２，Ｅ３，…，Ｅｎ）内の多数の箇所に、無線ＬＡＮ接続情報自動設定用のＩＣタグを配置して、利用者端末４１（４２，４３，…）をＩＣタグに近接させて、ＩＣタグから利用者端末４１（４２，４３，…）に設定情報を転送させて、自動設定が可能なように構成しても良い。
【０１３０】
また、ハンズフリー装置５１（５２，５３，…）の操作部６５において、操作ボタンとして、電源スイッチ／ボリューム兼用ボタン６５ａと、通信スイッチ／コンテンツ選択ダイヤル兼用ボタン６５ｂと、インプレションボタン６５ｃを設ける場合について述べたが、コンテンツ再生のためのリピート機能や、レジューム機能（前回視聴をやめたところからの続きからの再生開始機能）等を付加し、これに伴って、リピートボタンや、レジュームボタンを設けるようにしても良い。これによって、モバイル環境下の「はぎれ時間」の活用を一段と促進させることができる。
【０１３１】
また、配信対象のコンテンツは、特に限定されないが、音楽や、ニュース、ゲーム等のほか、キラーアプリケーションとして、クイズや習い事の問題等を用意し、解答結果に応じて、達人度や階級の判定、クーポンの提供等を連動させて行うようにしても良い。
この場合、ハンズフリー装置５１（５２，５３，…）の操作部６５において、「○」や「×」に対応するボタン、三択ボタン等を設けても良い。これによって、本発明のシステムの普及促進を図ることができる。
【０１３２】
例えば、管理サーバで、コンテンツ登録制御処理や、コンテンツ送信制御処理、視聴レポート作成処理等を、制御部が、対応する制御プログラムを実行することによって行う場合について述べたが、コンテンツ登録制御処理や、コンテンツ送信制御処理、視聴レポート作成処理等の一部又は全部を専用のハードウェアを用いて行い、一部を対応するプログラムを実行して処理するようにしても良い。
【０１３３】
また、コンテンツ登録制御処理や、コンテンツ送信制御処理、視聴レポート作成処理等を、それぞれ別々のＣＰＵが実行しても良いし、例えば、単一のＣＰＵが実行しても良い。
また、管理サーバのほか、利用者端末、車載サーバ、ハンズフリー装置においても同様である。
また、情報管理センタ２と各エリア中継器７１（７２，７３，…，７ｎ）、エリア中継器７１（７２，７３，…，７ｎ）と車載サーバ８、車載サーバ８と車載中継器９、車載中継器９とＡＰ中継器１１は、それぞれ、無線通信経路を介して接続しても有線通信経路を介して接続しても良い。
【０１３４】
また、コンテンツを配信する管理サーバから、コンテンツを蓄積するデータベースサーバを独立させ、さらに、データベースサーバを複数配置するようにしても良い。また、例えば、管理サーバも、単数とは限らず複数設けても良いし、管理サーバや、データベースサーバを集中させて配置しても、ネットワーク上に分散させて配置しても良い。
また、ハンズフリー装置として、ヘッドホンに代えて、一方の耳部に装着するイヤホンを用いても良いし、マイクロホンを設けたヘッドセットやイヤセットを用いて、通話が可能なように構成しても良い。
【産業上の利用可能性】
【０１３５】
移動可能な携帯通信端末として、携帯電話機のほか、データ通信機能を有する簡易型携帯電話（ＰＨＳ）端末や、携帯情報端末（ＰＤＡ）、携帯型のコンピュータを用いる場合に適用できる。また、通信ネットワークとしては、移動通信網のほか、固定網を含む場合に適用できる。
【図面の簡単な説明】
【０１３６】
【図１】この発明の第１の実施例である携帯通信システムの構成を説明するための説明図である。
【図２】同携帯通信システムの情報管理センタの構成を示すブロック図である。
【図３】同情報管理センタの管理サーバの構成を示すブロック図である。
【図４】同管理サーバの制御部及び記憶部の構成を説明するためのブロック図である。
【図５】同携帯通信システムの発信者端末の構成を示すブロック図である。
【図６】同携帯通信システムのエリア中継器の構成を示すブロック図である。
【図７】同携帯通信システムの車載サーバの制御部及び記憶部の構成を説明するためのブロック図である。
【図８】同携帯通信システムの利用者端末の構成を示すブロック図である。
【図９】同利用者端末の制御部の構成を説明するためのブロック図である。
【図１０】同携帯通信システムのハンズフリー装置の構成を示すブロック図である。
【図１１】同ハンズフリー装置の構成を説明するためのブロック図である。
【図１２】同携帯通信システムの動作を説明するための処理手順図である。
【図１３】同携帯通信システムの動作を説明するための処理手順図である。
【図１４】同携帯通信システムの動作を説明するための処理手順図である。
【図１５】同携帯通信システムの動作を説明するための処理手順図である。
【図１６】同携帯通信システムの動作を説明するための処理手順図である。
【図１７】同携帯通信システムの動作を説明するための処理手順図である。
【図１８】この発明の第２の実施例である携帯通信システムの利用者端末の構成を示すブロック図である。
【符号の説明】
【０１３７】
１      携帯通信システム
２      情報管理センタ
３１，３２，…      発信者端末（通信端末）
４１，４２，…      利用者端末（携帯通信端末）
５１，５２，…      ハンズフリー装置
６      中継機器群（中継装置群）
７１，７２，…      エリア中継器（中継装置、第１の中継装置）
８      車載サーバ（中継装置、第２の中継装置）
９      車載中継器（中継装置、第２の中継装置）
１１      ＡＰ中継器（中継装置、第３の中継装置）
１３      通信ネットワーク（情報伝達経路の一部、第１の情報伝達経路）
１４      無線通信経路（第２の情報伝達経路）
１５      無線通信経路（第２の情報伝達経路）
１６      無線通信経路（第３の情報伝達経路）
２１      管理サーバ（コンテンツ配信サーバ）
２４      制御部（満足度情報収集手段）
２７      情報記憶部（コンテンツ記憶手段）
４７      情報記憶部（区域別コンテンツ記憶手段）
６５      操作部（操作手段）
６５ｂ      通信スイッチ／コンテンツ選択ダイヤル兼用ボタン（コンテンツ取得ボタン）
６５ｃ      インプレションボタン
Ｂ１，Ｂ２，…      情報発信者
Ｃ１，Ｃ２，…      利用者（乗客）
Ｅ１，Ｅ２，…      エリア（区域）
Ｇ      車両
【図１】
2007312045.tif 000003
【図２】
2007312045.tif 000004
【図３】
2007312045.tif 000005
【図４】
2007312045.tif 000006
【図５】
2007312045.tif 000007
【図６】
2007312045.tif 000008
【図７】
2007312045.tif 000009
【図８】
2007312045.tif 000010
【図９】
2007312045.tif 000011
【図１０】
2007312045.tif 000012
【図１１】
2007312045.tif 000013
【図１２】
2007312045.tif 000014
【図１３】
2007312045.tif 000015
【図１４】
2007312045.tif 000016
【図１５】
2007312045.tif 000017
【図１６】
2007312045.tif 000018
【図１７】
2007312045.tif 000019
【図１８】
2007312045.tif 000020